(57)【要約】【課題】出力音響効果を改善することができ、かつ豊富な音場および多重チャネルのサラウンド音響効果を提供することができる、多重チャネルイヤホンを提供する。【解決手段】本発明は容積の小さな多重チャネルイヤホンに関する。イヤホン構体において、調整ホールまたは一組の調整ホールを有するチャンバチューブを提供する。チャンバチューブの音圧は、主チャンバ音場の特性に影響を及ぼすことなく自然に開放される。チャンバチューブに接続した外部スピーカが大きな音圧を発生する間は、調整ホールまたは一組の調整ホールによって自然に開放される音圧はこれに従って増大するため、チャンバチューブに接続した外部スピーカが発生する音圧は、主チャンバにて制御される。【選択図】図３Ａ
2007228549.tif 000002
【特許請求の範囲】
【請求項１】
主チャンバチューブを形成するケース、カバー、およびケース拡張部を有している主本体と、
メインスピーカおよび複数のサブスピーカと、
前記主本体に配置され、前記ケースまで延在して複合チャンバチューブを形成する第１の拡張チャンバパイプと、
を具えているイヤホン構体であって、
前記メインスピーカ、および前記サブスピーカの一部が前記ケース内に配置され、
前記第１の拡張チャンバパイプが、前記イヤホン構体に形成した前記複合チャンバチューブの音場特性を調整するための第１の調整ホール組を有するイヤホン構体。
【請求項２】
前記第１の調整ホール組が１つのホールを有する、請求項１記載のイヤホン構体。
【請求項３】
前記ホールの開口が前記第１の拡張チャンバパイプのチャンバチューブのサイズに応じて設計される、請求項２記載のイヤホン構体。
【請求項４】
前記ホールの開口が周波数に応じて設計される、請求項２記載のイヤホン構体。
【請求項５】
前記第１の拡張チャンバパイプが前記主本体の前記ケース拡張部に配置される、請求項１記載のイヤホン構体。
【請求項６】
前記サブスピーカのうち１つが前記第１の拡張チャンバパイプに配置される、請求項１記載のイヤホン構体。
【請求項７】
前記主本体に配置され、前記ケース内に延在して前記第１の拡張チャンバパイプを有する前記複合チャンバチューブを形成する第２の拡張チャンバパイプであって、前記イヤホン構体に形成した複合チャンバチューブの音場特性を調整するための第２の調整ホールを有する第２の拡張チャンバパイプをさらに具えている、請求項１記載のイヤホン構体。
【請求項８】
前記第２の拡張チャンバパイプが前記主本体の前記ケース拡張部に配置される、請求項７記載のイヤホン構体。
【請求項９】
前記第２の拡張チャンバパイプが前記主本体の前記ケースに配置される、請求項７記載のイヤホン構体。
【請求項１０】
前記ケースの外部に配置され、内部に共鳴チャンバを形成するチャンバチューブであって、該チャンバチューブは調整ホール組を有し、かつ前記共鳴チャンバ内の音波が空気を経て前記主本体内の音場に伝送される間は、前記チャンバチューブ内の音圧が前記チャンバチューブの前記調整ホール組を経て開放されるチャンバチューブをさらに具えている、請求項１記載のイヤホン構体。
【請求項１１】
前記共鳴チャンバを調整するために前記チャンバチューブの外部に接続した屈曲したパイプをさらに具えている、請求項１０記載のイヤホン構体。
【請求項１２】
前記サブスピーカのうちの１つが前記屈曲したパイプの外部に配置される、請求項１１記載のイヤホン構体。
【請求項１３】
主チャンバチューブを形成するケース、カバー、およびケース拡張部を有している主本体と、
メインスピーカおよび複数のサブスピーカと、
前記主本体に配置される第１の拡張チャンバパイプと、
前記ケース拡張部の外部に配置され、内部に共鳴チャンバを形成するチャンバチューブと、
を具えているイヤホン構体であって、
前記メインスピーカ、および前記サブスピーカの一部が前記ケース内に配置され、
前記第１の拡張チャンバパイプが前記イヤホン構体の音場特性を調整するための第１の調整ホールを有し、
前記チャンバチューブが調整ホール組を有し、かつ前記共鳴チャンバ内の音波が空気を経て前記主本体内の音場に伝送される間は、前記チャンバチューブ内の音圧が前記調整ホール組を経て開放されるイヤホン構体。
【請求項１４】
前記共鳴チャンバを調整するために前記チャンバチューブの外部に接続した屈曲したパイプをさらに具えている、請求項１３記載のイヤホン構体。
【請求項１５】
前記サブスピーカのうちの１つが前記屈曲したパイプの外部に配置される、請求項１３記載のイヤホン構体。
【請求項１６】
主チャンバチューブを形成するケース、カバー、およびケース拡張部を有している主本体と、
メインスピーカおよび複数のサブスピーカと、
前記主本体に配置されるチャンバチューブと、
を具えているイヤホン構体であって、
前記メインスピーカ、および前記サブスピーカの一部が前記ケース内に配置され、
前記チャンバチューブが、前記イヤホン構体に形成される音場特性を調整するための一組の調整ホールを有し、該一組の調整ホールは複数のホールで形成されるイヤホン構体。
【請求項１７】
前記ホールの開口が前記チャンバチューブのサイズに応じて設計される、請求項１６記載のイヤホン構体。
【請求項１８】
前記ホールの開口が周波数に応じて設計される、請求項１６記載のイヤホン構体。
【請求項１９】
前記ホールの開口が同じでないようにする、請求項１６記載のイヤホン構体。
【発明の詳細な説明】
【技術分野】
【０００１】
本発明は、多重チャネルイヤホン、特に、拡張音場および調整ホールを有する多重チャネルイヤホンに関する。
【背景技術】
【０００２】
我々の日常生活は、ディジタル技術の発展とともにディジタル化されてきた。例えば、ディジタルビデオディスク（一般にＤＶＤと称される）プレーヤは、我々の家庭の一般的なビデオ再生装置になっている。ＤＶＤプレーヤは、ドルビーディジタルおよびディジタルシアターシステム（ＤＴＳ）復号機能を有しているので、これを用いてディジタル信号を複号して、アナログ信号をスピーカに出力することができる。
【０００３】
高品質のディジタルビデオの娯楽を得るために、多重チャネルスピーカは必要な機器であり、５．１チャネルのスピーカは基本的な多重チャネルスピーカである。
【０００４】
図１は、５．１チャネルスピーカを有するホームシアターシステムの線図である。図１を参照するに、ＤＶＤプレーヤ１００がビデオ番組を再生している間、それぞれ正面左スピーカ１０２ａ、正面右スピーカ１０２ｂ、中央スピーカ１０４、左サラウンドスピーカ１０６ａ、右サラウンドスピーカ１０６ｂ、およびサブウーファスピーカ１０８に異なる音声信号を出力して、３Ｄ（３次元）の音響効果および高忠実度音を発生することができる。
【０００５】
しかしながら、スピーカを通して音を再生することが好ましくない場合（例えば、他人の迷惑になる場合）は、イヤホンを用いなければならない。図２Ａを参照するに、一般に、イヤホン２００ａの両側にはただ１つのスピーカ２１０しか配置されていないので、イヤホンのユーザはＤＶＤプレーヤから出る多重チャネル音響効果の出力を楽しむことはできない。
【０００６】
したがって、図２Ｂに示すように、複数の内部スピーカを有する従来のイヤホンが提供されている。イヤホン２００ｂのそれぞれの側には、前スピーカ２０２、中央スピーカ２０４およびサラウンドスピーカ２０６が配置され、特別設計のプラグ２０８を用いて、ＤＶＤプレーヤによる異なるチャネルの音声信号を、プラグ２０８を経て異なるスピーカに出力することができる。これにより、図１に示すようなホームシアターシステムの５．１チャネルスピーカの音響効果を生じさせることができる。従来のイヤホン２００ｂにおいては、出力音声信号の遅延をディジタル的に（例えば、回路設計により）制御することができるが、図１に示すようなホームシアターシステムの５．１チャネルスピーカと比べると出力音場が理想的でなく、したがって多重チャネルのサラウンド音響効果の音質および特性を達成することができない。
【発明の開示】
【発明が解決しようとする課題】
【０００７】
したがって、本発明の目的は、出力音響効果を改善することができ、かつ豊富な音場および多重チャネルのサラウンド音響効果を提供することができる、多重チャネルイヤホンを提供することにある。
【０００８】
本発明は、容積の小さなイヤホン構体を提供する。このイヤホン構体においては、チャンバチューブに調整ホールを配置して、チャンバチューブの音圧が自然に開放され、かつパイプが最も短い状態である間は、チャンバチューブの音圧が主チャンバ音場の特性に影響を及ぼさないようにする。チャンバチューブに接続した外部スピーカが大きな音圧を発生する間は、調整ホールを経て自然に開放される音圧はこれに従って増大するため、チャンバチューブに接続した外部スピーカが発生する音圧は、主チャンバにて制御される。チャンバチューブに接続した外部スピーカが小さい音圧を発生する間は、調整ホールを経て自然に開放される音圧はこれに従って低減されるため、チャンバチューブに接続した外部スピーカが発生する音を主チャンバにて明瞭に聴くことができる。
【課題を解決するための手段】
【０００９】
上述した目的を達成するために、本発明は、主本体、メインスピーカ、複数のサブスピーカ、および拡張チャンバパイプを有するイヤホン構体を提供する。ここで主本体は、主チャンバを形成するケース、カバー、およびケース拡張部を具えている。メインスピーカおよびサブスピーカのいくつかは、ケース内に配置する。拡張チャンバパイプは主本体に配置して、イヤホン構体内の音場を調整するための１つの調整ホールまたは一組の調整ホールを有するようにする。
【００１０】
前述の調整ホールまたは一組の調整ホールの開口は、拡張チャンバパイプのチャンバのサイズまたは周波数に応じて設計することができ、かつ一組の調整ホールの配置もまた、種々の設計に応じて調整することができる。
【００１１】
前述のイヤホン構体は、主本体に接続したパイプを更に具えており、かつパイプの最外縁部にチャンバチューブを配置して、チャンバチューブ内に共鳴チャンバを形成するようにしている。ここでチャンバチューブは調整ホールを有し、共鳴チャンバ内の音波は、パイプを用いて空気を経て主本体内の音場に伝送され、そして、チャンバチューブの音圧は調整ホールを経て開放される。
【００１２】
本発明の他の実施例では、主本体、メインスピーカ、複数のサブスピーカ、およびチャンバチューブを有しているイヤホン構体を提供する。主本体は、主チャンバチューブを形成するケース、カバー、およびケース拡張部を有している。メインスピーカおよびサブスピーカはケース内に配置する。チャンバチューブは、チャンバチューブ内に共鳴チャンバを形成するためにケース拡張部の外部に配置する。ここでチャンバチューブは１つの調整ホールまたは一組の調整ホールを有し、かつチャンバチューブの音圧は調整ホールまたは一組の調整ホールを経て開放され、一方共鳴チャンバ内の音波は空気を経て主本体内の音場に伝送される。
【００１３】
本発明の他の実施例では、主本体、メインスピーカ、複数のサブスピーカ、およびチャンバチューブを有しているイヤホン構体を提供する。主本体は、主チャンバチューブを形成するケース、カバー、およびケース拡張部を具えている。メインスピーカおよびサブスピーカはケース内に配置する。チャンバチューブは、チャンバチューブ内に共鳴チャンバを形成するためにケースの外部に配置する。ここでチャンバは１つの調整ホールまたは一組の調整ホールを有し、かつチャンバチューブの音圧は調整ホールまたは一組の調整ホールを経て開放され、一方共鳴チャンバ内の音波は空気を経て主本体内の音場に伝送される。
【００１４】
本発明の上述したならびに他の目的、特徴、および利点の理解を容易にするために、後に好適実施例を図面につき詳細に説明する。
【００１５】
前述の全体的な説明および以下の詳細な説明は例示であり、請求の範囲で規定する発明の更なる説明を提供することを意図したものである。
【００１６】
添付の図面は、発明の更なる理解を提供するために含めるものであり、本明細書に組み込まれ本明細書の一部を構成するものである。図面は本発明の実施例を例示して、説明と共に本発明の原理を説明するのに役立つものである。
【００１７】
“ＳＰＥＡＫＥＲ  ＭＯＤＵＬＥ  ＦＲＡＭＥ，  ＳＰＥＡＫＥＲ  ＭＯＤＵＬＥ  ＷＩＴＨ  ＴＨＥ  ＦＲＡＭＥ  ＡＮＤ  ＥＬＥＣＴＲＯＮＩＣ  ＡＰＰＡＲＡＴＵＳ  ＷＩＴＨ  ＴＨＥ  ＭＯＤＵＬＥ”と題する台湾特許出願第９３１０７２１８号は、本願出願人が２００４年３月１８日に出願したものであり、その対応する米国特許出願“ＳＰＥＡＫＥＲ  ＭＯＤＵＬＥ  ＦＲＡＭＥ，  ＳＰＥＡＫＥＲ  ＭＯＤＵＬＥ  ＴＨＥＲＥＷＩＴＨ，  ＡＮＤ  ＥＬＥＣＴＲＯＮＩＣ  ＤＥＶＩＣＥ  ＷＩＴＨ  ＳＰＥＡＫＥＲ  ＭＯＤＵＬＥ”を、２００４年５月７日に出願番号第１０／７０９，４６８号として出願した。この発明を更に改良し、“ＥＡＲＰＨＯＮＥ  ＳＴＲＵＣＴＵＲＥ  ＷＩＴＨ  ＣＯＭＰＯＳＩＴＥ  ＳＯＵＮＤ  ＦＩＥＬＤ”と題する台湾特許出願第９３１１１９８５号を２００４年４月２９日に出願し、台湾特許第Ｉ２３９７８４号として特許権が付与された。その対応する米国特許出願“ＥＡＲＰＨＯＮＥ  ＳＴＲＵＣＴＵＲＥ  ＷＩＴＨ  Ａ  ＣＯＭＰＯＳＩＴＥ  ＳＯＵＮＤ  ＦＩＥＬＤ”を２００４年６月９日に出願番号第１０／７０９，９５６号として出願した。前述の各特許出願の全部は、参考までに本明細書に含めるものとし、本明細書の一部とする。これらの特許出願においては、ケースおよびカバーに配置される複合チャンバチューブを有するイヤホン構体を提供している。ケースおよびカバーは、複合チャンバチューブを覆うために用いる。複数の音源信号またはスピーカからの音を受信するため、および複合チャンバを形成するために複合チャンバチューブを用いているので、音源信号またはスピーカからの音は複合音場を形成することができる。
【００１８】
“ＭＵＬＴＩＰＬＥ  ＣＨＡＮＮＥＬ  ＥＡＲＰＨＯＮＥ”と題する台湾特許出願第９４１０３５５３号をさらに２００５年２月４日に出願し、その対応する米国特許出願“ＭＵＬＴＩＰＬＥ  ＣＨＡＮＮＥＬ  ＥＡＲＰＨＯＮＥ”を２００５年３月１７日に出願番号第１０／９０７，０４７号として出願した。上述の各特許出願の全部は、参考までに本明細書に含めるものとし、本明細書の一部とする。この発明においては、イヤホンの主本体部に配置した拡張チャンバパイプを有する多重チャネルイヤホンを提供している。イヤホンの主本体部は、イヤホン構体のケースおよびカバーを具えている。チャンバチューブを形成するために、イヤホン構体のケースおよびカバーを用いる。拡張チャンバパイプの構体を調整することによって、音場の深さおよび広がりが増大する。拡張チャンバパイプの構体は、引き込みまたは折り曲げの手法で調整することができる。実施例において、ＤＶＤプレーヤが出力する５．１チャネルソースのためのスピーカのうち１台からの任意の信号を、独立して主本体のチャンバパイプから引き抜くことができ、拡張パイプが形成するチャンバパイプの引き込み機能で引き込むことによって、チャンバのサイズを調整することができる。拡張パイプは、引き込むと、あまり大きなシステムスペースを占有しなくなる。拡張パイプが引き出されている間は、システム全体の音場スペースは増大する。さらに、拡張パイプを引き出している間は、信号チューブの１つを独立して引き出してチャンバパイプ上に配置することができるため、音場の効果を深めることができる。
【００１９】
前述の多重チャネルイヤホンによれば、スピーカおよびチューブが生成する共振によって、独立した音場を形成することができるので、イヤホン構体のケースおよびカバーは、物理的に音場を分割する音場を形成することができる。パイプは、チャンバチューブおよび主本体に接続した外部スピーカの経路であるため、その長さは、チャンバチューブに接続した外部スピーカから主本体までの音圧を決定する。パイプが長ければ長いほど、それだけチャンバチューブと主本体との共振によって生成される音圧は小さくなり、主本体内の主音場との干渉は小さくなり、音場全体に対して一層大きなスペースが形成される。
【００２０】
この構体は主本体外のパイプおよびチャンバによって形成されるため、イヤホン構体全体の容積設計を考慮すると、長いパイプは通常、不都合なことにイヤホンのサイズを大きくし過ぎてしまう。したがって、本発明では、出願人は一層小さな容積のイヤホン構体をさらに提供する。本発明のイヤホン構体によれば、チャンバチューブに１つの調整ホールまたは一組の調整ホールを配置して、チャンバチューブの音圧を自然に開放し、かつパイプが最も短い状態である間は、チャンバチューブの音圧は主チャンバ音場の特性に影響を及ぼさないようになる。チャンバチューブに接続した外部スピーカが大きな音圧を発生する間は、調整ホールにより自然に開放される音圧はこれに従って増大するため、チャンバチューブに接続した外部スピーカが発生する音圧は、主チャンバよって制御される。チャンバチューブに接続した外部スピーカが小さい音圧を発生する間は、調整ホールまたは一組の調整ホールにより自然に開放される音圧はこれに従って低減されるため、チャンバチューブに接続した外部スピーカが発生する音を主チャンバにて明瞭に聴くことができる。
【００２１】
本発明では、ＤＶＤプレーヤが出力する５．１チャネル音源の任意の信号チューブのチャンバチューブ設計に応じて、調整ホールまたは一組の調整ホールを選択的に付加する。前述の調整ホールまたは一組の調整ホールの開口は、拡張チャンバパイプのチャンバチューブのサイズまたは周波数に応じて設計することができ、かつ一組の調整ホールのホール配置は種々の設計に応じて調整することができる。
【発明を実施するための最良の形態】
【００２２】
本発明を、添付の図面につき、好適実施例の詳細な説明により説明し明らかにする。しかしながら、次の実施例は説明の便宜のためのものでしかなく、本発明を限定するためのものではない。図３Ａは、本発明の好適実施例によるイヤホン３００Ａの部分的な断面図である。なお、図３Ａは本発明のイヤホンの一方の側のみを図示したもので、図３Ａに図示しないもう一方の側の構体も図３Ａに図示した側のものと同様であり、再度の説明は不要であることは当業者には明らかである。
【００２３】
図３Ａを参照するに、イヤホン３００Ａは、主本体３１０およびコネクタ３２０を具えている。ここで、コネクタ３２０は、イヤホン３００Ａの２つの側で主本体３１０（１つのみ図示する）を接続するのに用いる。主本体３１０は、ケース３１１、カバー３１３、およびケース拡張部３１５により形成し、ケース拡張部３１５はケース３１１を拡張したものであり、カバー３１３に接続する。主本体３１０は、メインスピーカ３３０、ならびに複数のサブスピーカ３４０Ａ、３４０Ｂ、３５０および３６０を具えている。サブスピーカ３４０Ｂおよび３５０は、拡張チャンバパイプ３３５および３３７を経て複合チャンバチューブ３３３の両側の側壁にそれぞれ配置する。他の実施例では、複合チャンバチューブ３３３の両側の側壁にサブスピーカ３４０Ｂおよび３５０をそれぞれ直に配置することもできる。さらに、サブスピーカ３６０を配置するための拡張チャンバパイプ３７５を更に具えている。拡張チャンバパイプ３３５および３３７は、調整ホール３７７Ｈおよび３３９Ｈをそれぞれ有している。ここで調整ホールは、音圧を自然に開放するためのホールとして画成する。そして調整ホールは、一組の調整ホールとすることもできる。
【００２４】
図３Ａの拡張チャンバパイプ３７５は、主本体３１０のケース３１１に配置して、複合チャンバチューブ３３３から直接延在している。イヤホン３００Ａのケース３１１、カバー３１３、およびケース拡張部３１５は、主チャンバを形成する。チャンバチューブの音圧を自然に開放するために、拡張チャンバパイプ３３５および３３７が形成するチャンバチューブに、調整ホール３７７Ｈおよび３３９Ｈを配置する。パイプが最も短い状態である間は、チャンバチューブの音圧は主チャンバ音場の特性に影響を及ぼさないようになる。チャンバチューブに接続したサブスピーカ３４０Ｂおよび３５０が大きな音圧を発生する間は、調整ホール３７７Ｈおよび３３９Ｈにより自然に開放される音圧はこれに従って増大するため、チャンバチューブに接続したサブスピーカ３４０Ｂおよび３５０が発生する音圧は、主チャンバによって制御される。チャンバチューブに接続したサブスピーカ３４０Ｂおよび３５０が小さい音圧を発生する間は、調整ホール３７７Ｈおよび３３９Ｈにより自然に開放される音圧はこれに従って低減されるため、チャンバチューブに接続した外部スピーカが発生する音を主チャンバにて明瞭に聴くことができる。調整ホール３７７Ｈおよび３３９Ｈは、複数のホールを有する一組の調整ホールとすることもできる。
【００２５】
本発明の調整ホール３７７Ｈおよび３３９Ｈは、音圧を自然に開放するためのホールを有している。しかしながら、付加した調整ホール３７７Ｈおよび３３９Ｈの代わりを、複数のホールを有する一組の調整ホールとすることもできる。調整ホールの開口または一組の調整ホールのホール開口は、形成したチャンバチューブのサイズ、スピーカの特性、スピーカの周波数等に応じて設計することができる。一組の調整ホールのホールは、様々な設計に応じて配置することができる。例えば、一実施例においては、図３Bを参照するに、図３Ａの調整ホール３７７Ｈの代わりを、大きな開口のホールＨ１および８つの均等に分布した小さな開口のホールＨ２を有する一組の調整ホールとして、ホールＨ１の開口は例えば２ｍｍ（ミリメートル）とし、ホールＨ２の開口は例えば１ｍｍとしている。
【００２６】
図３Ｃは、本発明の他の好適実施例によるイヤホン３００Ｂの部分的な断面図である。なお、図３Ｃは本発明のイヤホンの一方の側のみを図示したもので、図３Ｃに図示しないもう一方の側の構体も図３Ｃに図示した側のものと同様であり、再度の説明は不要であることは当業者には明らかである。
【００２７】
図３Ｃを参照するに、イヤホン３００Ｂは、主本体３１０およびコネクタ３２０を有している。ここで、コネクタ３２０は、両側で主本体３１０（１つのみ図示する）を接続するのに用いる。主本体３１０は、ケース３１１、カバー３１３、およびケース拡張部３１５により形成し、ケース拡張部３１５はケース３１１を拡張したものであり、カバー３１３に接続する。主本体３１０は、メインスピーカ３３０、ならびに複数のサブスピーカ３４０Ａ、３４０Ｂ、３５０および３６０を具えている。サブスピーカ３４０Ｂおよび３５０は、複合チャンバチューブ３３３の両側の側壁の拡張チャンバパイプ３３５および３３７にそれぞれ配置するが、他の実施例では、複合チャンバチューブ３３３の両側の側壁にサブスピーカ３４０Ｂおよび３５０をそれぞれ直に配置することもできる。
いてもよい。
【００２８】
イヤホン構体３００Ｂと図３Ａのイヤホン構体との違いは、拡張チャンバパイプ３３９を複合チャンバチューブ３３３から直接延在させて、サブスピーカ３６０をケース３１１に配置していることにある。イヤホン３００Ｂのケース３１１、カバー３１３、およびケース拡張部３１５は、主チャンバを形成し、複合チャンバチューブ３３３の構体ならびに拡張チャンバパイプ３３５、３３７および３３９を経ることで、音場の深さおよび広がりが増大する。
【００２９】
拡張チャンバパイプ３３５および３３７が形成するチャンバチューブに付加した調整ホール３３４Ｈおよび３３６Ｈは、チャンバチューブの音圧を自然に開放する。パイプが最も短い状態である間は、チャンバチューブの音圧は主チャンバ音場の特性に影響を及ぼさないようになる。チャンバチューブに接続したサブスピーカ３４０Ｂおよび３５０が大きな音圧を発生する間は、調整ホール３３４Ｈおよび３３６Ｈにより自然に開放される音圧はこれに従って増大するため、チャンバチューブに接続したサブスピーカが発生する音圧は、主チャンバよって制御される。チャンバチューブに接続したサブスピーカ３４０Ｂおよび３５０が小さい音圧を発生する間は、調整ホール３３４Ｈおよび３３６Ｈにより自然に開放される音圧はこれに従って低減されるため、チャンバチューブに接続した外部スピーカが発生する音を主チャンバにて明瞭に聴くことができる。
【００３０】
図４Ａは、本発明のさらに他の好適実施例によるイヤホン４００Ａの部分的な断面図である。なお、図４Ａは本発明のイヤホンの一方の側のみを図示したもので、もう一方の側の構体も同様であり、再度の説明は不要であることは当業者には明らかである。
【００３１】
図４Ａを参照するに、イヤホン４００Ａは、主本体４１０およびコネクタ４２０を具えている。ここで、コネクタ４２０は、両側で主本体４１０（１つのみ図示する）を接続するのに用いる。主本体４１０は、ケース４１１、カバー４１３、およびケース拡張部４１５により形成する。メインスピーカ４３０、ならびに複数のサブスピーカ４４０および４５０Ａを主本体４１０に配置することができる。サブスピーカ４５０Ｂを配置するための拡張チャンバパイプ４６５を更に有するようにする。拡張チャンバパイプ４７４に接続するチャンバチューブ４７０を更に具える。拡張チャンバパイプ４６５およびチャンバチューブ４７０には、調整ホール４６７Ｈおよび４７３Ｈをそれぞれ配置する。調整ホールは、ここでは音圧を自然に開放するためのホールとして画成する。調整ホールの代わりを、複数のホールを有する一組の調整ホールとすることもでき、異なる位置の設計も提供し得る。イヤホン４００Ａは、拡張チャンバパイプ４６５、および拡張チャンバパイプ４７４に接続したチャンバチューブ４７０の両方または１つを有するようにすることができる。イヤホン４００Ａを以下に詳細に説明する。
【００３２】
上述のように、イヤホン４００Ａは、主本体４１０のケース拡張部４１５に配置した拡張チャンバパイプ４６５のみを有するようにすることができる。イヤホン４００Ａのケース４１１およびカバー４１３は主チャンバを形成し、音場の深さおよび広がりは、拡張チャンバパイプ４６５の構造を調整することで増大する。本実施例では、拡張パイプの構造を調整するために、引き込む手法を用いる。チャンバチューブの音圧を自然に開放するために、拡張チャンバパイプ４６５が形成するチャンバチューブに調整ホール４６７Ｈを付加する。パイプが最も短い状態である間は、音圧は主チャンバ音場の特性に影響を及ぼさないようになる。
【００３３】
本実施例では、拡張チャンバパイプ４６５の構体の他に、音場分割機能を有するイヤホン４００Ａを更に提供する。主本体４１０のケース拡張部４１５の外部に拡張チャンバパイプ４７４を接続し、チャンバチューブ４７０にチャンバ４７２を形成するため拡張チャンバパイプ４７４の最外縁部にチャンバチューブ４７０を形成する。チャンバチューブ４７０は調整ホール４７３Ｈを有する。調整ホールの位置は調整することができ、一組の調整ホールを代わりに用いることもできる。
【００３４】
チャンバチューブ４７０の音圧が大きい間は、調整ホール４７３Ｈにより自然に開放される音圧はこれに従って増大するため、チャンバチューブに接続したサブスピーカが発生する音圧は、主チャンバよって制御される。チャンバチューブ４７０の音圧が小さい間は、調整ホール４７３Ｈにより自然に開放される音圧はこれに従って低減されるため、チャンバチューブに接続した外部スピーカが発生する音を主チャンバにて明瞭に聴くことができる。本実施例では、チャンバチューブ４７０は、拡張チャンバパイプ４８２も有することができ、その中にサブスピーカ４８０を配置する。このように、一実施例では、拡張チャンバパイプ４８２に、図示した調整ホール４８３Ｈのような調整ホールを配置することもできる。調整ホール４８３Ｈは、単一のホールまたは一組の調整ホールとすることができる。
【００３５】
図４Ｂを参照するに、イヤホン４００Ｂは、主本体４１０およびコネクタ４２０を有している。ここで、コネクタ４２０は、両側で主本体４１０（１つのみ図示する）を接続するのに用いる。主本体４１０は、ケース４１１、カバー４１３、およびケース拡張部４１５により形成する。メインスピーカ４３０、ならびに複数のサブスピーカ４４０および４５０Ａを主本体４１０に配置することができる。サブスピーカ４５０Ｂを配置するための拡張チャンバパイプ４６５を更に具える。図４Ａとの差異は、拡張チャンバチューブ４７０を、拡張チャンバパイプなしでケース拡張部４１５に直接配置しているということにある。拡張チャンバパイプ４６５およびチャンバチューブ４７０は、調整ホール４６７Ｈおよび調整ホール４７３Ｈをそれぞれ有している。調整ホールは、ここでは音圧を自然に開放するためのホールとして画成する。調整ホールの代わりに、例えば可聴周波数に応じて調整可能な一組の調整ホールを用いることもできる。イヤホン４００Ｂは、拡張チャンバパイプ４６５およびチャンバチューブ４７０、またはいずれか１つを具え、これを以下詳細に説明する。
【００３６】
本実施例では、拡張チャンバパイプ４６５の構体の他に、音場分割機能を有するイヤホン４００Ｂを更に提供する。ここでは、主本体４１０のケース拡張部４１５の外部にチャンバチューブ４７０を接続し、チャンバチューブ４７０にチャンバ４７２を形成する。チャンバチューブ４７０は調整ホール４７３Ｈを有する。ここで調整ホールの代わりに一組の調整ホールを用いることができ、その開口を例えば周波数範囲に応じて調整することができる。
【００３７】
チャンバチューブ４７０の音圧が大きい時は、調整ホール４７３Ｈにより自然に開放される音圧はこれに従って増大するため、チャンバチューブに接続したサブスピーカが発生する音圧は、主チャンバよって制御される。チャンバチューブ４７０の音圧が小さい間は、調整ホール４７３Ｈにより自然に開放される音圧はこれに従って低減されるため、チャンバチューブに接続した外部スピーカが発生する音を主チャンバにて明瞭に聴くことができる。他の実施例では、チャンバチューブ４７０は、拡張チャンバパイプ４８２も有することができ、その中にサブスピーカ４８０を配置する。このように、一実施例では、拡張チャンバパイプ４８２に、図示した調整ホール４８３Ｈのような調整ホールを配置することもできる。
【００３８】
図５Ａは、本発明のさらに他の好適実施例によるイヤホン５００Ａの部分的な断面図である。なお、図５Ａは本発明のイヤホンの一方の側のみを図示したもので、もう一方の側の構体も同様であり、再度の説明は不要であることは当業者には明らかである。
【００３９】
図５Ａを参照するに、イヤホン５００Ａは、主本体５１０およびコネクタ５２０を有している。ここで、コネクタ５２０は、両側で主本体５１０（１つのみ図示する）を接続するのに用いる。主本体５１０は、ケース５１１、カバー５１３、およびケース拡張部５１５により形成する。メインスピーカ５３０、ならびに複数のサブスピーカ５４０Ａ、５４０Ｂ、５６０および５８０を主本体５１０に配置することができる。複合チャンバチューブ５３３の側壁から延在する拡張チャンバパイプ５３５にサブスピーカ５４０Ｂを配置する。サブスピーカ５６０を配置するための拡張チャンバパイプ５６５を更に具える。拡張チャンバパイプ５３７に接続したチャンバチューブ５７０を更に具える。拡張チャンバパイプ５３５およびチャンバチューブ５７０は、調整ホール５３７Ｈおよび調整ホール５７３Ｈをそれぞれ有している。ここでは、調整ホールは音圧を自然に開放するためのホールとして画成する。調整ホールの代わりに、一組の調整ホールを用いることもでき、これを以下詳細に説明する。
【００４０】
イヤホン５００Ａと図４Ａおよび図４Ｂのイヤホン構体との差異は、図５Ａの拡張チャンバパイプ５６５および５３７は、主本体５１０のケース５１１に配置されており、主本体５１０の複合チャンバチューブ５３３が外側に延在していることにある。イヤホン５００Ａでは、上述したように、主本体５１０のケース５１１に配置した１つの拡張チャンバパイプ５６５のみを有するようにすることもできる。イヤホン５００Ａのケース５１１およびカバー５１３は主チャンバを形成する。拡張チャンバパイプ５３５が形成するチャンバチューブに付加した調整ホール５３７Ｈは、チャンバチューブの音圧を自然に開放し、パイプが最も短い状態である間は、チャンバチューブの音圧は主チャンバ音場の特性に影響を及ぼさないようになる。
【００４１】
本実施例では、イヤホン５００Ａに音場分割機能を提供する。拡張チャンバパイプ５３７を、主本体５１０の複合チャンバチューブ５３３の側壁から外側に延在させ、チャンバチューブ５７０のチャンバ５７２を形成するために、拡張チャンバパイプ５３７の最外縁部にチャンバチューブ５７０を形成する。
【００４２】
チャンバチューブ５７０の音圧が大きい時は、調整ホール５７３Ｈにより自然に開放される音圧はこれに従って増大するため、チャンバチューブに接続したサブスピーカが発生する音圧は、主チャンバよって制御される。チャンバチューブ５７０の音圧が小さい間は、調整ホール５７３Ｈにより自然に開放される音圧はこれに従って低減されるため、チャンバチューブに接続した外部スピーカが発生する音を主チャンバにて明瞭に聴くことができる。本実施例のチャンバチューブ５７０は、拡張チャンバパイプ５８２を有することもでき、その中にサブスピーカ５８０を配置する。このように、一実施例では、拡張チャンバパイプ５８２に、図示した調整ホール５８３Ｈのような調整ホールを配置することもできる。
【００４３】
図５Ｂは、本発明のさらに他の好適実施例によるイヤホン５００Ｂの部分的な断面図である。なお、図５Ｂはイヤホン５００Ｂの一方の側のみを図示したもので、もう一方の側の構体も同様であり、再度の説明は不要であることは当業者には明らかである。
【００４４】
図５Ｂを参照するに、イヤホン５００Ｂは、主本体５１０およびコネクタ５２０を有している。ここで、コネクタ５２０は、両側で主本体５１０（１つのみ図示する）を接続するのに用いる。主本体５１０は、ケース５１１、カバー５１３、およびケース拡張部５１５により形成する。メインスピーカ５３０、ならびに複数のサブスピーカ５４０Ａ、５４０Ｂ、５６０および５８０を主本体５１０に配置する。複合チャンバチューブ５３３の側壁から外側に延在する拡張チャンバパイプ５３５にサブスピーカ５４０Ｂを配置する。サブスピーカ５６０を配置するための拡張チャンバパイプ５６５を更に具える。拡張チャンバパイプ５３７に接続したチャンバチューブ５７０を更に具える。拡張チャンバパイプ５３５およびチャンバチューブ５７０は、調整ホール５３７Ｈおよび調整ホール５７３Ｈをそれぞれ有している。ここでは、調整ホールは音圧を自然に開放するためのホールとして画成する。調整ホールの代わりに、一組の調整ホールを用いることもでき、これを以下詳細に説明する。
【００４５】
イヤホン５００Ｂのケース５１１およびカバー５１３は主チャンバを形成し、拡張チャンバパイプ５３５が形成するチャンバチューブに付加した調整ホール５３７Ｈは、チャンバチューブの音圧を自然に開放する。パイプが最も短い状態である間は、チャンバチューブの音圧は主チャンバ音場の特性に影響を及ぼさないようになる。
【００４６】
本実施例は、拡張チャンバパイプを有する構体の他に、更にイヤホンに音場分割機能を提供する。イヤホン５００Ｂと図５Ａのイヤホン構体との差異は、図５Ｂのチャンバチューブ５７０を、主本体５１０のケース５１１に配置し、かつ主本体５１０の複合チャンバチューブ５３３から外側に延在させてチャンバチューブ５７０のチャンバ５７２を形成することにある。
【００４７】
チャンバチューブ５７０の音圧が大きい時は、調整ホール５７３Ｈにより自然に開放される音圧はこれに従って増大するため、チャンバチューブに接続したサブスピーカが発生する音圧は、主チャンバよって制御される。チャンバチューブ５７０の音圧が小さい間は、調整ホール５７３Ｈにより自然に開放される音圧はこれに従って低減されるため、チャンバチューブに接続した外部スピーカが発生する音を主チャンバにて明瞭に聴くことができる。本実施例のチャンバチューブ５７０は、拡張チャンバパイプ５８２を有することもでき、その中にサブスピーカ５８０を配置する。このように、一実施例では、拡張チャンバパイプ５８２に、図示した調整ホール５８３Ｈのような調整ホールを配置することもできる。
【００４８】
上述したように、本発明が提供するイヤホン構体は、ケースに配置した拡張チャンバパイプを有している。イヤホン構体のケースおよびカバーはチャンバチューブを形成し、音場の深さおよび広がりは、拡張パイプの構造を調整することで増大し、さらに音場の位相を調整することもできる。拡張チャンバパイプが形成するチャンバチューブに付加した調整ホールは、チャンバチューブの音圧を自然に開放し、パイプが最も短い状態である間は、チャンバチューブの音圧は主チャンバ音場の特性に影響を及ぼさないようになる。
【００４９】
チャンバチューブに接続した外部スピーカが大きな音圧を発生する間は、調整ホールによって自然に開放される音圧はこれに従って増大するため、チャンバチューブに接続した外部スピーカが発生する音圧は、主チャンバにて制御される。チャンバチューブに接続した外部スピーカが小さい音圧を発生する間は、調整ホールによって自然に開放される音圧はこれに従って低減されるため、チャンバチューブに接続した外部スピーカが発生する音を主チャンバにて明瞭に聴くことができる。
【００５０】
本発明の範囲または精神から逸脱することなく本発明の構体に種々の変更および変形を施すことができることは当業者に明らかである。前述に鑑みて、本発明は、請求項およびこれらの均等物の範囲内にある限り、本発明の変更例および変形例にもおよぶものとする。
【図面の簡単な説明】
【００５１】
【図１】５．１チャネルスピーカを有するホームシアターシステムの線図である。
【図２Ａ】従来のイヤホンの断面図である。
【図２Ｂ】他の従来のイヤホンの断面図である。
【図３Ａ】本発明の一実施例によるイヤホンの部分断面図である。
【図３Ｂ】本発明の一実施例による拡張チャンバパイプ上の調整ホールの配列を説明する線図である。
【図３Ｃ】本発明のさらに他の実施例によるイヤホンの部分断面図である。
【図４Ａ】本発明のさらに他の実施例によるイヤホンの部分断面図である。
【図４Ｂ】本発明のさらに他の実施例によるイヤホンの部分断面図である。
【図５Ａ】本発明のさらに他の実施例によるイヤホンの部分断面図である。
【図５Ｂ】本発明のさらに他の実施例によるイヤホンの部分断面図である。
【符号の説明】
【００５２】
３００  イヤホン
３１０  主本体
３１１  ケース
３１３  カバー
３１５  ケース拡張部
３２０  コネクタ
３３０  メインスピーカ
３４０、３５０、３６０  サブスピーカ
３３３  複合チャンバチューブ
３３４Ｈ、３３６Ｈ、３３９Ｈ、３７７Ｈ  調整ホール
３３５、３３７、３３９、３７５  拡張チャンバパイプ
４００  イヤホン
４１０  主本体
４１１  ケース
４１３  カバー
４１５  ケース拡張部
４２０  コネクタ
４３０  メインスピーカ
４４０、４５０、４８０  サブスピーカ
４６５、４７４、４８２  拡張チャンバパイプ
４６７Ｈ、４７３Ｈ、４８３Ｈ  調整ホール
４７０  チャンバチューブ
４７２  チャンバ
５００  イヤホン
５１０  主本体
５１１  ケース
５１３  カバー
５１５  ケース拡張部
５２０  コネクタ
５３０  メインスピーカ
５３３  複合チャンバチューブ
５３５、５３７、５６５、５８２  拡張チャンバパイプ
５３７Ｈ、５７３Ｈ、５８３Ｈ  調整ホール
５４０、５６０、５８０  サブスピーカ
５７０  チャンバチューブ
５７２  チャンバ
【図１】
2007228549.tif 000003
【図２Ａ】
2007228549.tif 000004
【図２Ｂ】
2007228549.tif 000005
【図３Ａ】
2007228549.tif 000006
【図３Ｂ】
2007228549.tif 000007
【図３Ｃ】
2007228549.tif 000008
【図４Ａ】
2007228549.tif 000009
【図４Ｂ】
2007228549.tif 000010
【図５Ａ】
2007228549.tif 000011
【図５Ｂ】
2007228549.tif 000012